(57)【特許請求の範囲】
【請求項１】
背面に開口している乾電池収納部(2)に、乾電池(16)に代わってパック電池(29)を装着しており、かつ、乾電池収納部(2)の背面開口部を乾電池蓋(46)から充電用の貫通孔(35)のある充電蓋(31)に交換してなるゲーム機器(1)を、脱着できるようにスタンドケース(36)の装着部(37)にセットしてパック電池(29)を充電する充電スタンドにおいて、
乾電池蓋(46)を脱着できる脱着開口部(49)をスタンドケース(36)の一部に設けており、乾電池収納部(2)に乾電池(16)に代わってパック電池(29)を装着するときにゲーム機器(1)から外された乾電池蓋(46)を、脱着開口部(49)に装着して乾電池蓋(46)をスタンドケース(36)の一部として使用するようにしてなることを特徴とする携帯用のゲーム機器の充電スタンド。
【請求項２】
乾電池収納部(2)からパック電池(29)を外して乾電池(16)を装着するときに、乾電池収納部(2)の開口部に乾電池蓋(46)を装着し、ゲーム機器(1)から外した充電蓋(31)を脱着開口部(49)に装着するようにしてなる請求項１に記載される携帯用のゲーム機器の充電スタンド。
【請求項３】
脱着開口部(49)が、電源コードに接続しているコネクター(51)を内蔵するコネクターチャンバー(50)を閉塞する位置に設けており、乾電池蓋蓋(46)を脱着開口部(49)から外して、コネクターチャンバー(50)に電源コードのコネクター(51)を接続するようにしてなる請求項１に記載される携帯用のゲーム機器の充電スタンド。
【発明の詳細な説明】
【０００１】
【発明の属する技術分野】
本発明は、携帯用のゲーム機器を脱着できるようにセットして、ゲーム機器のパック電池を充電する充電スタンドに関し、とくに、乾電池に代わってパック電池を装着しているゲーム機器を装置してパック電池を充電する充電スタンドに関する。
【０００２】
【従来の技術】
ゲーム機器は、乾電池に代わってパック電池を使用して、何回も繰り返し充放電して経済的に使用できる。ゲーム機器は、使用時間が長く、しかも、膨大な使用量であるから、乾電池をパック電池に交換することによって、全国で廃棄される乾電池量を著しく少なくできる特長もある。乾電池に代わって使用できるパック電池は、実公平６−４４０１１号公報に記載される。この公報に記載されるパック電池は、図１に示すように、２本の円筒電池１５を平行に並べてホルダー４で連結している。
【０００３】
この図のパック電池は、二次電池の電極端子を、乾電池収納部の接点に接触させる。この構造のパック電池は、ゲーム機器に充電器を連結して充電できる。充電器は、ゲーム機器に電力を供給しながら、パック電池を充電できる。ただ、リード線を介して充電器に連結されるゲーム機器は、便利に使用できない。それは、ゲーム機器に電力を供給し、あるいはパック電池を充電するときに、リード線を連結し、パック電池で使用するときに、リード線を外すのに手間がかかるからである。
【０００４】
この欠点は、たとえば、携帯電話のように、ケースの下端に充電端子を設け、この充電端子が接触する位置に、充電器の接点を配設する構造で解消できる。この構造の充電器は、ゲーム機器を装着部にセットすると、充電器から電力が供給されて、パック電池が充電される。充電器の装着部を上方を開口した凹部として、ゲーム機器を極めて簡単に脱着できる。このため、充電器を使用しないでパック電池から電力を供給するときには、充電器の装着部から簡単に外して便利に使用できる。
【０００５】
【発明が解決しようとする課題】
しかしながら、ゲーム機器の下端に充電端子を設け、この充電端子に接触する出力接点を装着部の底に配設する構造は、乾電池専用に設計されたゲーム機器には利用できない。それは、乾電池専用に設計しているゲーム機器は、内蔵する電池を充電するための構造を内蔵していないからである。
【０００６】
本出願人は、この欠点を解消するために、図２に示す構造のパック電池２９と充電スタンド３０を開発した。パック電池２９は背面に充電端子を設けている。乾電池をパック電池２９に交換するとき、乾電池蓋も充電蓋３１に交換する。充電蓋３１は、パック電池２９の充電端子を外部に表出させる貫通孔３５を設けている。このゲーム機器１が、充電スタンド３０の装着部３７にセットされると、充電スタンド３０の出力接点３２が充電蓋３１の貫通孔３５を通過して、パック電池２９の充電端子に接触する。この状態でゲーム機器１に装着しているパック電池２９が充電される。
【０００７】
図２に示す構造は、接点の接触不良を少なくしてパック電池を充電できる。また、乾電池専用に設計されたゲーム機器にパック電池を装着して、便利に使用できる。さらに、図に示すように、ゲーム機器を傾斜する姿勢で充電スタンドに装着することにより、ゲーム機器を使用しながらパック電池を充電することもできる。
【０００８】
しかしながら、この構造のゲーム機器は、パック電池を使用するときは、乾電池蓋をゲーム機器から外して充電蓋を使用し、また、乾電池を使用するときには充電蓋をゲーム機器から外し乾電池蓋を使用するので、乾電池蓋と充電蓋のいずれかが使用されない状態となる。このため、使用されない乾電池蓋や充電蓋の収納や保管に手間がかかり、これを紛失したりあるいは収納状態が悪くて破損するなどの欠点があった。
【０００９】
本発明は、さらにこの欠点を解決することを目的に開発されたもので、本発明の重要な目的は、ゲーム機器から外した乾電池蓋を、充電スタンドのスタンドケースの一部に併用して、使用しない乾電池蓋を紛失することなく便利に保管できる携帯用のゲーム機器の充電スタンドを提供することにある。
【００１０】
【課題を解決するための手段】
本発明の携帯用のゲーム機器の充電スタンドは、背面に開口している乾電池収納部２に、乾電池１６に代わってパック電池２９を装着しているゲーム機器１であって、乾電池収納部２の背面開口部を乾電池蓋４６から充電用の貫通孔３５のある充電蓋３１に交換してなるゲーム機器１を、脱着できるようにスタンドケース３６の装着部３７にセットしてパック電池２９を充電する。充電スタンド３０は、乾電池蓋４６を脱着できる脱着開口部４９をスタンドケース３６の一部に設けている。乾電池収納部２に乾電池１６に代わってパック電池２９を装着するときに、ゲーム機器１から外された乾電池蓋４６を、脱着開口部４９に装着して乾電池蓋４６をスタンドケース３６の一部として使用する。
【００１１】
本発明の請求項２の携帯用のゲーム機器の充電スタンドは、乾電池収納部２からパック電池２９を外して乾電池１６を装着するときに、乾電池収納部２の開口部に乾電池蓋４６を装着し、ゲーム機器１から外した充電蓋３１を脱着開口部４９に装着する。
【００１２】
本発明の請求項３の携帯用のゲーム機器の充電スタンドは、脱着開口部４９を、電源コードに接続しているコネクター５１を内蔵するコネクターチャンバー５０を閉塞する位置に設けいる。充電スタンド３０は、乾電池蓋４６を脱着開口部４９から外して、コネクターチャンバー５０に電源コードのコネクター５１を接続するようにしている。
【００１３】
【発明の実施の形態】
以下、本発明の実施例を図面に基づいて説明する。ただし、以下に示す実施例は、本発明の技術思想を具体化するためのゲーム機器の充電スタンドを例示するものであって、本発明は充電スタンドを以下のものに特定しない。
【００１４】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１５】
図３は、携帯用のゲーム機器１の背面に開口している乾電池収納部２に、乾電池に代わってパック電池２９を装着し、このパック電池２９を装着しているゲーム機器１を充電スタンド３０に装着して、充電スタンド３０でパック電池２９を充電する状態を示している。ゲーム機器１を充電スタンド３０に装着した状態を図４の斜視図に示し、ゲーム機器１の乾電池収納部２の正面図を図５と図６に示している。図５は乾電池収納部２に乾電池１６を装着した状態を示し、図６は乾電池収納部２にパック電池２９を装着した状態を示している。
【００１６】
携帯用のゲーム機器１は、背面に開口する乾電池収納部２を下部に有する。乾電池収納部２は、複数の乾電池１６を平行に並べて装着する。乾電池収納部２は、ここに乾電池１６を装着するときは、開口部を乾電池蓋４６で閉塞する。パック電池２９を装着するときは、開口部を充電蓋３１で閉塞する。
【００１７】
乾電池蓋４６を図５に示し、充電蓋３１を図６に示す。乾電池蓋４６と充電蓋３１は、貫通孔３５の有無が異なる以外は同じ形状をしている。充電蓋３１は、乾電池収納部２に装着しているパック電池２９を充電するために、充電スタンド３０の出力接点３２を挿入させる貫通孔３５を開口している。乾電池蓋４６は、出力接点３２を乾電池収納部２に案内する必要がないので、貫通孔を設けていない。充電蓋３１の貫通孔３５は、乾電池収納部２に装着したパック電池２９の充電端子２２に対向する位置に開口している。図の充電蓋３１は、パック電池２９と分離されて、乾電池収納部２を開閉でき、かつ、脱着できるように装着される。充電蓋は、パック電池の背面に固定して、パック電池と一体構造とすることもできる。
【００１８】
乾電池蓋４６と充電蓋３１を、図７ないし図９に示す。図７の鎖線は貫通孔３５を開口する位置を示している。これ等の図に示す乾電池蓋４６と充電蓋３１は、全体の形状を、多少湾曲する板状にプラスチックで成形している。さらに、片側には係止爪４７を、他の片側には係止フック４８を一体成形して設けている。係止爪４７は、図３の断面図に示すように、乾電池収納部２の上側開口縁の内側に係止される。係止爪４７は、乾電池蓋４６と充電蓋３１を確実に定位置に装着できるように、両側の２カ所に設けている。係止フック４８は弾性変形できるＵ曲アームで、先端の外側面に係止凹凸４８Ａを設けている。係止フック４８は、乾電池蓋４６と充電蓋３１を乾電池収納部２に装着するときに弾性変形する。乾電池収納部２の定位置に装着されると、図３に示すように、係止フック４８の係止凹凸４８Ａに乾電池収納部２の下側縁が嵌入される。この状態で、乾電池蓋４６と充電蓋３１は、乾電池収納部２に外れない状態で装着される。
【００１９】
図５に示す乾電池収納部２は、２本の単三型の乾電池１６を＋−逆向きに装着する。乾電池収納部２は、両端の対角線上に位置するように、弾性突出接点６を配設している。弾性突出接点６は、弾性線をコイル状に卷いたもので、乾電池１６の−電極端子５に弾性的に押圧されて電気的に接触される。弾性突出接点は、図示しないが、弾性金属板を乾電池に向かって弾性的に突出させる形状のものもある。乾電池収納部２は、弾性突出接点６の隣に、乾電池１６の＋電極端子５に接触される非弾性接点７を固定している。非弾性接点７も乾電池収納部２の対角線上に位置して配設される。非弾性接点７は、金属板を乾電池収納部２の内面に固定したもので、乾電池１６の＋電極端子５に接触される。弾性突出接点６は、非弾性接点７よりも突出して乾電池収納部２に設けられる。
【００２０】
図５の乾電池収納部２は、右側に設けている弾性突出接点６と非弾性接点７とをリード線８で接続している。乾電池収納部２に隣接して装着される乾電池１６を直列に接続するためである。図において、乾電池収納部２の左側に配設している弾性突出接点６と非弾性接点７は、ゲーム機器１の電源端子となって、ゲーム機器１に電力を供給する。
【００２１】
図３と図４の充電スタンド３０は、ゲーム機器１を脱着できるようにセットする装着部３７をスタンドケース３６に設けている。スタンドケース３６は、ゲーム機器１から外した乾電池蓋４６をセットする脱着開口部４９も設けている。図３と図１０の充電スタンド３０は、コネクターチャンバー５０を閉塞するスタンドケース３６の一部に脱着開口部４９を設けている。脱着開口部４９にゲーム機器１から外した乾電池蓋４６を装着することにより、乾電池蓋４６がスタンドケース３６の一部に併用される。コネクターチャンバー５０は、電源コードに接続しているコネクター５１を内蔵するチャンバーである。乾電池蓋４６がコネクターチャンバー５０の脱着開口部４９を閉塞する状態で、コネクター５１に連結している電源コードを引き出すために、脱着開口部４９の側縁には、電源コード引き出し用の切欠部５２を設けている。
【００２２】
この図に示すように、コネクター５１をスタンドケース３６のコネクターチャンバー５０に設けている充電スタンド３０は、コネクター５１の接触不良を少なくできる。コネクターチャンバー５０でコネクター５１を汚れから保護し、さらに、電源コードが抜けるのを防止できるからである。また、脱着開口部４９の乾電池蓋４６を外して、電源コードのコネクター５１を簡単に脱着できる特長もある。
【００２３】
図の充電スタンド３０は、コネクターチャンバー５０を背部に設けて、コネクターチャンバー５０の背面に脱着開口部４９を設けている。脱着開口部４９は、好ましくは、乾電池収納部２の開口部と同じ形状である。乾電池蓋４６を、乾電池収納部２から外して脱着開口部４９に装着するためである。ただ、脱着開口部は、必ずしも乾電池収納部の開口部の形状と全く同じにする必要はない。脱着開口部は、乾電池蓋を装着して閉塞でき、かつ、乾電池蓋を脱着できるすべての形状とすることができる。
【００２４】
脱着開口部４９は、乾電池蓋４６と充電蓋３１の両方を脱着できるようにして、より便利に使用できる。ゲーム機器１に乾電池１６をセットして充電蓋３１を外したときに、充電蓋３１を脱着開口部４９に装着できるからである。このことを実現するには、充電蓋３１と乾電池蓋４６とを同じ形状とし、あるいは、脱着開口部４９を、形状が異なる乾電池蓋４６と充電蓋３１の両方を装着できる構造とする。
【００２５】
図に示す充電スタンド３０は、ゲーム機器１をセットして使用できる構造としている。このため、装着部３７は、上方を開口している凹部として、ゲーム機器１を、垂直面に対して、上端を後方に３０〜５０度、好ましくは３５〜５０度、最適には約４５度の角度で傾斜させる姿勢で保持する傾斜保持面３８を、ゲーム機器１の背面に対向する位置に設けている。ゲーム機器１の背面を、傾斜保持面３８に当接させて、ゲーム機器１を装着部３７にセットする。傾斜保持面３８の傾斜角は、ゲーム機器１を充電スタンド３０に装着した状態で、便利に操作押ボタン３３を押すことができ、さらに、ゲーム機器１のモニタを見やすいように前述の角度に設定される。
【００２６】
充電スタンド３０の装着部３７は、ゲーム機器１を多少傾動できる遊びのある状態で保持する。それは、操作押ボタン３３を押したときに、充電スタンド３０に対してゲーム機器１を多少動かせることによって、パック電池２９の充電端子２２と出力接点３２とを相対移動させて、接触不良をより少なくできるからである。ただ、傾動できる遊びが大きすぎると、操作押ボタン３３を押す毎にゲーム機器１が動くので便利に使用できない。このため、遊びは、操作押ボタン３３を押したときに、ゲーム機器１の下端がたとえば０．１〜１．５ｍｍ、好ましくは０．２〜１ｍｍ移動するようにする。
【００２７】
図の充電スタンド３０は、装着部３７の傾斜保持面３８と対向する面に、ゲーム機器１の前面下端を係止する係止部３９を設け、この係止部３９で、ゲーム機器１を傾動できる遊びがある状態で係止している。この構造の装着部３７は、極めて簡単にゲーム機器１を脱着できる特長がある。
【００２８】
充電スタンド３０のスタンドケース３６は、ゲーム機器１を装着部３７に入れた状態で安定して水平台に置くことができ、かつ、ゲーム機器１が装着された充電スタンド３０を両手でもって、操作押ボタン３３を操作してゲームができる大きさに設計される。このため、充電スタンド３０のスタンドケース３６は、前後方向の長さをゲーム機器１の高さの０．５〜２５倍、好ましくは０．８〜１．５倍、幅をゲーム機器１の幅の１．２〜２．５倍、好ましくは１．３〜２倍とする。
【００２９】
充電スタンド３０は、傾斜保持面３８から弾性的に突出して、ゲーム機器１に装着しているパック電池２９の充電端子２２に接触する位置に出力接点３２を設けている。出力接点３２は、パック電池２９の充電端子２２に接触する。出力接点３２が充電端子２２に接触する状態で、充電スタンド３０は、パック電池２９を充電する。出力接点３２は弾性変形できる金属線で、スタンドケース３６に内蔵される充電回路に接続される。
【００３０】
図３の出力接点３２は、充電端子２２に接触する部分を山型に折曲する折曲部とし、さらに、図において金属線の右部を回転できるように回転軸４０に連結している。この図の出力接点３２は、充電端子２２に押し込まれるときに、折曲部が、回転軸４０を中心とする円軌道を移動する。この軌跡を移動する折曲部は、傾斜保持面３８と直交する方向に移動して押し込まれると共に、傾斜保持面３８に平行な方向である上下方向にも移動する。押し込まれるときに、傾斜保持面３８と平行な上下方向に移動する折曲部は、充電端子２２で押し込まれるとき、充電端子２２に対して摺動する。折曲部が押し込まれるときに、充電端子２２と折曲部が摺動する出力接点３２は、操作押ボタン３３を押したときに、より接触不良を少なくできる。それは、操作押ボタン３３を押して充電端子２２を出力接点３２に押し付けて、ゲーム機器１が傾斜保持面３８に対して相対的に移動すると、充電端子２２と出力接点３２とが摺動するからである。
【００３１】
スタンドケース３６に内蔵される電器回路は、パック電池２９を充電しながら、ゲーム機器１を駆動できる出力を有する。したがって、パック電池２９を装着したゲーム機器１を装着部３７にセットする状態で、パック電池２９を充電しながらゲーム機器１を駆動する電力を供給する。
【００３２】
乾電池収納部２に装着されるパック電池２９を図６に示す。この図に示すパック電池２９は、左側の弾性突出接点６と非弾性接点７とに電気的に接続されて、ゲーム機器１に電力を供給する。図に示すパック電池２９は、内蔵する二次電池３の右側をリード線９で接続している。この構造のパック電池２９は、二次電池３の右側の＋−の電極端子５を、乾電池収納部２の右側に設けている弾性突出接点６と非弾性接点７とに電気的に接続することなく、ゲーム機器１に電力を供給できる。したがって、パック電池２９は、出力端子１０の反対側を乾電池収納部２の弾性突出接点６と非弾性接点７に接触させる必要がない。
【００３３】
図１１〜図１３に示すパック電池２９は、２本の二次電池３をホルダー４で平行に連結して固定している。二次電池３は、＋出力端子１０Ａを−出力端子１０Ｂよりも突出させて、ホルダー４に固定される。二次電池３は円筒型の充電できる電池で、たとえば、ニッケル−カドミウム電池、ニッケル−水素電池、リチウムイオン二次電池等である。二次電池３は、乾電池収納部２に装着される乾電池１６とほぼ同じ太さを有し、あるいは多少細い。さらに、二次電池３の全長は、乾電池１６より多少短い。
【００３４】
単三型の乾電池を装着するように設計している乾電池収納部２にセットされるパック電池２９は、単三乾電池にほぼ等しく、あるいは多少細く、しかも、単三乾電池よりも多少短い円筒状の二次電池３を内蔵する。図のパック電池２９は、２本の二次電池３を内蔵しているが、パック電池は、３本以上の二次電池を内蔵することもできる。
【００３５】
パック電池２９の全長は、乾電池収納部２の両端部に、互いに対向するように配設しているふたつの弾性突出接点６間の最小間隔、すなわち、弾性突出接点６を圧縮しない状態として、対向して配設される弾性突出接点６の先端面の間隔よりも長い。パック電池２９の全長が、弾性突出接点６の最小間隔よりも短いと、＋−の出力端子１０をゲーム機器１の電源端子となる弾性突出接点６と非弾性接点７とに電気接続できないからである。
【００３６】
さらに、図に示すパック電池２９は、２本の二次電池３を、＋−の極性が逆向きとなる姿勢としてホルダー４で連結して固定している。パック電池２９は、図６の鎖線で示すように、隣接する二次電池３の＋−電極端子５を、出力端子１０の反対側において、リード線９で接続して直列に接続している。
【００３７】
ホルダー４は、図１１〜図１３に示すように、金属バンド１１と絶縁ホルダー１２とを備える。金属バンド１１と絶縁ホルダー１２と二次電池３は、互いに接着して連結される。ただ、金属バンドは、接着することなく、弾性変形力で定位置に装着することもできる。
【００３８】
金属バンド１１は、弾性変形できる金属板、たとえば、ＳＵＳ３０４のステンレス板、弾性変形特性に優れる鉄板等を加工して製作される。これ等の金属板は、厚さを０．１〜０．３ｍｍと極めて薄くして、二次電池３を弾性的に押圧する状態で確実に保持できる。ステンレス板の金属バンド１１は、厚さを０．２ｍｍと極めて薄くできる。金属バンド１１は、熱収縮フィルム等の絶縁材で表面を被覆している二次電池３を保持して連結する。
【００３９】
金属バンド１１は、金属板を、２本の二次電池３を平行に並べて保持できるように、図１３の断面図に示すように、背面プレート１１Ａの両側に湾曲側壁１１Ｂを設けてなる溝型である。背面プレート１１Ａは平面状で、湾曲側壁１１Ｂは、円筒型二次電池３の表面に沿って湾曲している。さらに、湾曲側壁１１Ｂは、開口縁に向かって開口幅を次第に狭くする方向に湾曲している保持部１１ａを先端部に有する。図１３の金属バンド１１は、保持部１１ａの先端縁を、背面プレート１１Ａに対する傾斜角αが約４５度となる位置まで延長している。湾曲側壁１１Ｂは、保持部１１ａを長く延長するほど、二次電池３を確実に保持できる。ただ、保持部１１ａを長くすると、パック電池２９の外形が大きくなる。したがって、湾曲側壁１１Ｂは、好ましくは、保持部１１ａ先端縁の傾斜角αが２０〜８０度、好ましくは３０〜６０度となる長さまで延長される。
【００４０】
絶縁ホルダー１２は、プラスチック等の絶縁材を成形したもので、二次電池３の端部に配設される端部カバー部１２Ａと、金属バンド１１の内面に配設される連結部１２Ｂとを有する。端部カバー部１２Ａは、出力端子１０側の出力端子カバー部１２ａと、底部カバー部１２ｂとからなる。
【００４１】
図１４は、金属バンド１１と端部カバー部１２Ａを連結している部分をわかりやすく示す斜視図である。この図の要部拡大断面図を図１５に示している。これ等の図に示すパック電池２９は、一方の端部カバー部１２Ａである出力端子カバー部１２ａを金属バンド１１に連結している。金属バンド１１は、保持部１１ａを端部カバー部１２Ａである出力端部カバー部１２ａの表面に係止構造で連結している。
【００４２】
この図のパック電池２９は、金属バンド１１の保持部１１ａと端部カバー部１２Ａとの係止構造を、保持部１１ａに設けている係止爪２５と、端部カバー部１２Ａに設けられて、この係止爪２５を入れる係止凹部２６で構成する。保持部１１ａの係止爪２５は、金属バンド１１の弾性で、係止凹部２６に挿入されて、金属バンド１１と出力端部カバー部１２ａとを連結する。金属バンド１１と端部カバー部１２Ａの係止構造は、図１６の断面図に示すように、端部カバー部１２Ａに係止凸部２７を設け、この係止凸部２７を挿入する係止穴２８を金属バンド１１の保持部１１ａに設けて、係止凸部２７を係止穴２８に入れる構造とすることもできる。この図の係止構造も、金属バンド１１を弾性的に端部カバー部１２Ａの表面に押し付けて、係止凸部２７を係止穴２８に挿入して、金属バンド１１と端部カバー部１２Ａとを確実に連結する。
【００４３】
図１７と図１８に示す出力端子カバー部１２ａは、外形を円筒型二次電池３の外形に沿う形状とすると共に、出力端子１０である金属キャップ１８を内蔵している。金属キャップ１８はバネ１９で弾性的に押し出される。弾性的に押し出される金属キャップ１８を内蔵する出力端子カバー部１２ａは、バネ１９に押されて変形し、あるいは位置がずれやすいが、係止構造で金属バンド１１の保持部１１ａに連結して、変形と位置ずれを阻止できる。
【００４４】
図に示すパック電池２９は、一方の端部カバー部１２Ａである出力端子カバー部１２ａを金属バンド１１の保持部１１ａに連結しているが、本発明のパック電池２９は、出力端子カバー部と底部カバー部の両方を同じ係止構造で保持部に連結することもでき、また、底部カバー部のみを金属バンドに同じ係止構造で連結することもできる。
【００４５】
底部カバー部１２ｂは、２本の二次電池３を直列に接続するリード線９を内面に配設している。さらに、底部カバー部１２ｂはスリットを有し、このスリットによって、乾電池収納部２の弾性突出接点６を案内するガイド溝１３を設けている。ガイド溝１３は、内蔵する二次電池３の−電極端子５に対向する位置に配設している。図の底部カバー部１２ｂは、スリットでガイド溝１３を形成するので、二次電池３の−電極端子５面がガイド溝１３の底面となる。スリットで構成されるガイド溝１３は、二次電池３の−電極端子５の中心部から、乾電池収納部２の底面側に延長して設けている。パック電池２９を乾電池収納部２に入れるときに、弾性突出接点６をガイド溝１３に沿って移動させるためである。二次電池３の−電極端子面をガイド溝１３の底面とするパック電池２９は、ガイド溝１３を深くできる。
【００４６】
ただ、底部カバー部の内側で二次電池を直列に接続するパック電池は、底部カバー部の内側に配設される二次電池の＋−の電極端子を、乾電池収納部の弾性突出接点と非弾性接点とに接触させる必要がないので、底部カバー部に、底のあるガイド溝を成形することもできる。
【００４７】
ガイド溝１３の深さは、好ましくは、パック電池２９を乾電池収納部２に装着した状態で、乾電池収納部２の弾性突出接点６がガイド溝１３の底部を弾性的に押圧しない深さとする。この構造のパック電池２９は、最も簡単に乾電池収納部２に入れることができる。それは、底部カバー部１２ｂに対向して配設される弾性突出接点６を、全く圧縮しないで、パック電池２９を乾電池収納部２に装着できるからである。
【００４８】
図に示すパック電池２９は、底部カバー部１２ｂの中央部から一方に開口してガイド溝１３を設けている。ガイド溝１３は、必ずしも図１１と図１２において、パック電池２９の上下両面に延長して設ける必要はない。パック電池２９を乾電池収納部２の定位置に入れた状態で、弾性突出接点６が二次電池３の−電極端子５のほぼ中央に位置するからである。
【００４９】
さらに、パック電池２９は、図１２と図１８に示すように、底部カバー部１２ｂの下部に傾斜面４５を設けて、乾電池収納部２に挿入しやすくしている。パック電池２９は、図６において、乾電池収納部２の左側に位置する弾性突出接点６をパック電池２９の出力端子１０で押圧して圧縮する状態で挿入する。このとき、このパック電池２９は、右側に位置する底部カバー部１２ｂの下部に傾斜面４５を設けているので、乾電池収納部２の開口縁に当接することなくスムーズに挿入できる特長がある。
【００５０】
さらに、図に示すパック電池２９は、乾電池収納部２から簡単に引き出しできるように、底部カバー部１２ｂに取手凹部１４を設けている。取手凹部１４は、底部カバー部１２ｂの中央に設けている。図のパック電池２９は、底部カバー部１２ｂの両側に凸部を設けて、この凸部の間を薄く成形して取手凹部１４としている。取手凹部１４を設けて薄く成形している部分に、スリットを設けてここをガイド溝１３としている。
【００５１】
パック電池２９は、内蔵する二次電池３を、乾電池収納部２に装着される乾電池１６よりも短くしている。ホルダー４に取手凹部１４を設けて、乾電池収納部２の内面との間に隙間を設けるためである。
【００５２】
さらに、パック電池２９は、金属バンド１１に、パック電池２９を乾電池収納部２に逆方向に入れるのを阻止する逆入阻止突起４１を設けている。図のパック電池２９は、逆入阻止突起４１をパック電池２９の片側の側面に突出して設けている。このパック電池２９は、正常な方向で乾電池収納部２に入れられるとき、逆入阻止突起４１を乾電池収納部２の隙間に案内する。しかしながら、パック電池２９を逆方向に乾電池収納部２に入れると、逆入阻止突起４１が乾電池収納部２の内面に当たって、パック電池２９を装着できなくする。図６に示す乾電池収納部２は、パック電池２９の逆入阻止突起４１を、乾電池蓋４６や充電蓋３１のフックを案内するフックスペース４２に案内して、パック電池２９を正常な方向で装着できるようにしている。
【００５３】
パック電池２９を逆方向に入れるのを阻止する構造は、乾電池収納部２に設けている隔壁リブ４３によっても実現できる。隔壁リブ４３は、２本の乾電池１６の間に配設されて、乾電池１６を平行に定位置にセットする。隔壁リブ４３は、左右を非対称な高さとして、この非対称な隔壁リブ４３を嵌着できるように、２本の二次電池３の谷間スペースを形成する。
【００５４】
さらに、図１７と図１８に示すパック電池２９は、乾電池収納部２の非弾性接点７に接続される＋出力端子１０Ａを、乾電池収納部２の非弾性接点７に向かって弾性的に押し出される弾性出力端子１７としている。これらの図の弾性出力端子１７は、金属キャップ１８を乾電池収納部２の非弾性接点７に向かってバネ１９で押し出している。金属キャップ１８は、金属板をプレス成形して製作したもので、中央部を突出させて凸部端子１８Ａとし、その周囲をストッパ鍔１８Ｂとしている。金属キャップ１８は、バネ１９に押されて、凸部端子１８Ａを出力端子カバー部１２ａに設けている貫通孔３５から外部に弾性的に突出させる。ストッパ鍔１８Ｂは、貫通孔３５の外周である出力端子カバー部１２ａの内面に当接して、金属キャップ１８が出力端子カバー部１２ａから飛び出すのを阻止する。
【００５５】
バネ１９は、弾性金属線からなるコイルバネで、二次電池３の＋電極端子５と金属キャップ１８との間に配設されて、金属キャップ１８を弾性的に押し出している。バネ１９が二次電池３の＋電極端子５に電気的に接触しないように、バネ１９と電極端子５との間には絶縁材２０を挟着している。バネ１９は、金属キャップ１８を二次電池３に接続するリード線にも併用される。バネ１９はスイッチ２１を介して二次電池３に接続される。
【００５６】
図１９はパック電池２９の回路図を示す。この図のパック電池２９は、出力端子１０と二次電池３との間にスイッチ２１を接続している。このスイッチ２１は、パック電池２９を乾電池収納部２に装着して使用できる状態でオンとなり、パック電池２９を乾電池収納部２から取り出した状態でオフとなる。
【００５７】
図１７と図１８のパック電池２９のスイッチ２１は、乾電池収納部２の充電蓋３１に設けた突出部（図示せず）に押されてオンに切り変えられる。このスイッチ２１は、弾性接点２１Ａと固定接点２１Ｂとを有し、弾性接点２１Ａを、充電蓋３１に設けている突出部で図１８の矢印の方向に押して固定接点２１Ｂに接触させてスイッチ２１をオンとする。パック電池２９は、乾電池収納部２に装着した状態で、充電蓋３１の突出部をパック電池２９の内部に挿入して、スイッチ２１の弾性接点２１Ａを押圧できるように、弾性接点２１Ａの押圧位置にスイッチ窓２４を開口している。パック電池２９を乾電池収納部２に装着して、充電蓋３１を閉じると、スイッチ２１はオンになって、ゲーム機器１に電力を供給できる状態となる。パック電池２９をゲーム機器１から取り出すと、弾性接点２１Ａが押されなくなって、スイッチ２１はオフになる。このため、パック電池２９をゲーム機器１から取り出した状態では、出力端子１０を短絡しても二次電池３にショート電流が流れることはない。
【００５８】
さらに、図に示すパック電池２９は、スイッチ２１の弾性接点２１Ａと、弾性出力端子１７のバネ１９とを１本の弾性線で構成している。弾性線は、一端をコイル状に卷いた形状に加工して金属キャップ１８を押し出すバネ１９とし、他端を固定接点２１Ｂの対向位置まで延長して、スイッチ２１の弾性接点２１Ａとしている。バネ１９と弾性接点２１Ａとからなる弾性線は絶縁ホルダー１２で定位置に保持して配設される。
【００５９】
以上の構造のパック電池２９は、充電蓋３１でスイッチ２１をオンに切り換える。スイッチは、充電蓋によらず、たとえば、乾電池収納部に設けているリブで押してオン位置に切り換える構造とすることもできる。このスイッチは、弾性接点をリブで押される位置に配設し、押された弾性接点が接触する位置に固定接点を配設する。
【００６０】
パック電池２９は、乾電池収納部２に装着した状態で充電される。パック電池２９を充電するために、パック電池２９は、ゲーム機器１の乾電池収納部２に装着された状態で、ゲーム機器１の背面に表出する充電端子２２を有する。充電端子２２は、図１９に示すように、スイッチ２１を通過しないで、二次電池３に接続される。充電端子２２は、充電スタンド３０の出力接点３２に接触されて、パック電池２９を充電し、さらにゲーム機器１に電力を供給する。
【００６１】
パック電池２９の充電端子２２は、前面に操作押ボタン３３を設けているゲーム機器１の背面であって、しかも、操作押ボタン３３を設けている位置の裏面近傍に配設される。ゲーム機器１の操作押ボタン３３を押す毎に、ゲーム機器１に装着しているパック電池２９の充電端子２２を、充電スタンド３０の出力接点３２に押し付けるためである。
【００６２】
充電端子２２を背面に表出させるために、パック電池２９は、図１１に示すように、ホルダー４に充電窓２３を開口している。充電窓２３は、図１７と図１８の断面図に示すように、金属バンド１１と絶縁ホルダー１２の連結部１２Ｂに開口して、充電窓２３の内側に充電端子２２を配設している。図のパック電池２９は、２本の二次電池３の谷間に充電端子２２を配設して、操作押ボタン３３の背面に位置させている。
【００６３】
パック電池２９は、充電端子２２を定位置に配設するために、二次電池３の谷間に端子ホルダー３４を配設し、この端子ホルダー３４の上面に充電端子２２を固定している。充電端子２２は金属板を所定の形状に裁断したもので、＋の充電端子２２は二次電池３の＋電極端子５に、−の充電端子２２は二次電池３の−電極端子５に接続される。＋−の充電端子２２は、端子ホルダー３４の上面であって、充電窓２３の内側に所定の間隔で平行に配設される。図の充電端子２２は、背面プレート１１Ａと平行な面内にあって、二次電池３と直交する方向に延長して設けられる。
【００６４】
【発明の効果】
本発明の携帯用のゲーム機器の充電スタンドは、ゲーム機器から外した乾電池蓋を、充電スタンドのスタンドケースの一部に併用することにより、使用しない乾電池蓋を紛失することなく便利に保管でき、さらに、乾電池蓋を充電スタンドのケースの一部に併用して、ケースを簡単にできる特長がある。ゲーム機器は、乾電池をパック電池に交換して使用するとき、乾電池蓋が充電蓋に交換される。ゲーム機器から外された乾電池蓋は、充電スタンドに装着されて、スタンドケースの一部に併用される。充電スタンドの決められた位置に装着される乾電池蓋は、ここに保管されるので、特別に保管する必要がない。
【００６５】
さらに、乾電池蓋をスタンドケースの一部に併用する構造は、スタンドケースの一部を大きく開口するので、スタンドケースを成形するプラスチックの使用量を少なくできることに加えて、大きな開口部によってスタンドケースの成形を能率よく簡単にできる。さらに、乾電池蓋は脱着できるように充電スタンドに装着しているので、これを外してスタンドケースの一部を開口できる。このため、乾電池蓋で開口されるスタンドケースの内部に、たとえば、電源コードを接続するコネクター等を内蔵し、あるいは、他のパーツを収納するチャンバーとして使用することもできる。
【００６６】
さらに、本発明の請求項２の充電スタンドは、乾電池蓋と充電蓋の両方を充電スタンドに脱着できるように装着するので、乾電池蓋と充電蓋の両方を便利に収納でき、乾電池とパック電池のいずれを電源として使用するときにも、乾電池蓋や充電蓋を失うことなく保管できる特長がある。したがって、乾電池とパック電池の両方を使用するときに、とくに便利に利用できる特長がある。また、乾電池を使用し、あるいはパック電池を使用する何れの状態においても、充電スタンドに設けた脱着開口部を乾電池蓋または充電蓋で閉塞できる特長もある。
【００６７】
さらにまた、本発明の請求項３の充電スタンドは、脱着開口部をコネクターチャンバーを閉塞する位置に設けているので、乾電池蓋を外して電源コードを接続しているコネクターを便利に脱着できる。また、コネクターを接続する状態で乾電池蓋でコネクターチャンバーを閉塞して、コネクターチャンバーの汚れや外れを防止できる特長が実現される。
【図面の簡単な説明】
【図１】従来のパック電池を示す分解斜視図
【図２】本出願人が先に開発したパック電池と充電スタンドの断面図
【図３】本発明の実施例の携帯用のゲーム機器の充電スタンドの断面図
【図４】図３に示す携帯用のゲーム機器と充電スタンドの斜視図
【図５】ゲーム機器の乾電池収納部に乾電池を装着した状態を示す正面図
【図６】ゲーム機器の乾電池収納部にパック電池を装着した状態を示す正面図
【図７】乾電池蓋と充電蓋を示す平面図
【図８】図７に示す乾電池蓋と充電蓋の正面図
【図９】図７に示す乾電池蓋と充電蓋の側面図
【図１０】図３に示す充電スタンドの背面図
【図１１】ゲーム機器の乾電池収納部に装着されるパック電池の斜視図
【図１２】図１１に示すパック電池の背面斜視図
【図１３】図１１に示すパック電池の横面図
【図１４】図１１に示すパック電池の上下を反転させた斜視図
【図１５】図１４に示すパック電池の要部拡大断面図
【図１６】金属バンドと端部カバー部の係止構造の他の一例を示す拡大断面図
【図１７】図１１に示すパック電池の水平断面図
【図１８】図１１に示すパック電池の縦断面図
【図１９】ゲーム機器の乾電池収納部に装着されるパック電池の回路図
【符号の説明】
１…ゲーム機器
２…乾電池収納部
３…二次電池
４…ホルダー
５…電極端子
６…弾性突出接点
７…非弾性接点
８…リード線
９…リード線
１０…出力端子          １０Ａ…＋出力端子        １０Ｂ…−出力端子
１１…金属バンド        １１Ａ…背面プレート      １１Ｂ…湾曲側壁
１１ａ…保持部
１２…絶縁ホルダー      １２Ａ…端部カバー部      １２Ｂ…連結部
１２ａ…出力端子カバー部  １２ｂ…底部カバー部
１３…ガイド溝
１４…取手凹部
１５…円筒電池
１６…乾電池
１７…弾性出力端子
１８…金属キャップ      １８Ａ…凸部端子          １８Ｂ…ストッパ鍔
１９…バネ
２０…絶縁材
２１…スイッチ          ２１Ａ…弾性接点          ２１Ｂ…固定接点
２２…充電端子
２３…充電窓
２４…スイッチ窓
２５…係止爪
２６…係止凹部
２７…係止凸部
２８…係止穴
２９…パック電池
３０…充電スタンド
３１…充電蓋
３２…出力接点
３３…操作押ボタン
３４…端子ホルダー
３５…貫通孔
３６…スタンドケース
３７…装着部
３８…傾斜保持面
３９…係止部
４０…回転軸
４１…逆入阻止突起
４２…フックスペース
４３…隔壁リブ
４５…傾斜面
４６…乾電池蓋
４７…係止爪
４８…係止フック        ４８Ａ…係止凹凸
４９…脱着開口部
５０…コネクターチャンバー
５１…コネクター
５２…切欠部
【図１】
0004346169.tif 000002
【図２】
0004346169.tif 000003
【図３】
0004346169.tif 000004
【図４】
0004346169.tif 000005
【図５】
0004346169.tif 000006
【図６】
0004346169.tif 000007
【図７】
0004346169.tif 000008
【図８】
0004346169.tif 000009
【図９】
0004346169.tif 000010
【図１０】
0004346169.tif 000011
【図１１】
0004346169.tif 000012
【図１２】
0004346169.tif 000013
【図１３】
0004346169.tif 000014
【図１４】
0004346169.tif 000015
【図１５】
0004346169.tif 000016
【図１６】
0004346169.tif 000017
【図１７】
0004346169.tif 000018
【図１８】
0004346169.tif 000019
【図１９】
0004346169.tif 000020